(57)【要約】【課題】  指定された高さの範囲または列の範囲に属する行または列から所望の行または列の高さを簡便に変更することができるようにする。【解決手段】  表示制御部３１は、（ａ）高さ変更の行候補となる行の高さの範囲を指定するための第１操作部を表示装置５に表示させ、（ｂ）第１操作部により範囲が指定されると、起点の行から連続しかつその範囲に属する高さを有する行を行候補として特定し、（ｃ）特定された行候補のみから、高さを変更する行を指定するための第２操作部を表示装置５に表示させ、（ｄ）第２操作部で指定された行の、変更後の高さを指定するための第３操作部を表示装置５に表示させ、（ｅ）第３操作部で指定された高さで、第２操作部で指定された行の高さを変更して表を表示させる。【選択図】  図１
2011128666.tif 000002
【特許請求の範囲】
【請求項１】
表示装置と、
行の高さまたは列の幅を変更可能にして表を前記表示装置に表示させる表示制御部とを備え、
前記表示制御部は、
高さ変更の行候補となる行の高さの範囲、または幅変更の列候補となる列の幅の範囲を指定するための第１操作部を前記表示装置に表示させ、
前記第１操作部により前記範囲が指定されると、起点の行から連続しかつ前記範囲に属する高さを有する行を前記行候補として、または起点の列から連続しかつ前記範囲に属する幅を有する列を前記列候補として特定し、
特定された前記行候補または前記列候補のみから、高さを変更する行または幅を変更する列を指定するための第２操作部を前記表示装置に表示させ、
前記第２操作部で指定された行または列の、変更後の高さまたは幅を指定するための第３操作部を前記表示装置に表示させ、
前記第３操作部で指定された高さまたは幅で、前記第２操作部で指定された行の高さまた列の幅を変更して前記表を表示させること、
を特徴とする電子機器。
【請求項２】
前記第２操作部は、前記行候補の行番号リストまたは前記列候補の列番号リストを有するプルダウンメニューであることを特徴とする請求項１記載の電子機器。
【請求項３】
前記第２操作部は、前記行候補の行番号のチェックボックスのリストまたは前記列候補の列番号のチェックボックスのリストであることを特徴とする請求項１記載の電子機器。
【請求項４】
前記表示制御部は、前記行番号とともにその行番号の示す行の内容を、または前記列番号とともにその列番号の示す列の内容を前記表示装置に表示させることを特徴とする請求項２または請求項３記載の電子機器。
【請求項５】
前記表示制御部は、行番号表示セルが操作されると、その行番号表示セルの行を前記起点とし、その起点から上および下のいずれか一方へ向かって連続する行を前記行候補とすることを特徴とする請求項１記載の電子機器。
【請求項６】
前記表示制御部は、列番号表示セルが操作されると、その列番号表示セルの列を前記起点とし、その起点から右および左のいずれか一方へ向かって連続する列を前記列候補とすることを特徴とする請求項１記載の電子機器。
【請求項７】
前記表示制御部は、２つの行番号表示セルが操作されると、その２つの行番号表示セルのうちの一方の行番号表示セルの行を前記起点とし、前記一方の行番号表示セルから他方の行番号表示セルまでの行範囲内のみで前記行候補を特定することを特徴とする請求項１記載の電子機器。
【請求項８】
前記表示制御部は、２つの列番号表示セルが操作されると、その２つの列番号表示セルのうちの一方の列番号表示セルの行を前記起点とし、前記一方の列番号表示セルから他方の列番号表示セルまでの列範囲内のみで前記列候補を特定することを特徴とする請求項１記載の電子機器。
【請求項９】
コンピュータに、
行の高さまたは列の幅を変更可能にして表を表示装置に表示させるステップと、
高さ変更の行候補となる行の高さの範囲、または幅変更の列候補となる列の幅の範囲を指定するための第１操作部を前記表示装置に表示させるステップと、
前記第１操作部により前記範囲が指定されると、起点の行から連続しかつ前記範囲に属する高さを有する行を前記行候補として、または起点の列から連続しかつ前記範囲に属する幅を有する列を前記列候補として特定するステップと、
特定された前記行候補または前記列候補のみから、高さを変更する行または幅を変更する列を指定するための第２操作部を前記表示装置に表示させるステップと、
前記第２操作部で指定された行または列の、変更後の高さまたは幅を指定するための第３操作部を前記表示装置に表示させるステップと、
前記第３操作部で指定された高さまたは幅で、前記第２操作部で指定された行の高さまた列の幅を変更して前記表を表示させるステップと、
を実行させることを特徴とする表表示プログラム。
【発明の詳細な説明】
【技術分野】
【０００１】
本発明は、電子機器および表表示プログラムに関するものである。
【背景技術】
【０００２】
図７（Ａ）に示すように表形式でデータを表示する装置がある。図７（Ａ）に示すように、表形式でデータを表示する場合、行番号（１，２，３，・・・）を表示するための１列の行番号表示セルと、列番号（Ａ，Ｂ，Ｃ，・・・）を表示するための１行の列番号表示セルとがデータセルとともに表示される。このような装置は、図７（Ｂ）に示すように、一部の行について高さをゼロとしてその行を折り畳んだ状態で表を表示することができる。
【０００３】
上述のようにして表示される表について、高さがゼロである行の高さを変更するための高さ変更画面において高さ変更の対象となる行を選択するために、高さがゼロである行の行番号リストを含む行選択画面を表示し、そのリストから行が選択されると、その行の高さを、指定された値に変更する装置がある（例えば特許文献１参照）。
【先行技術文献】
【特許文献】
【０００４】
【特許文献１】特開平１０−３４０１７２号公報（図１６、図１７等）
【発明の概要】
【発明が解決しようとする課題】
【０００５】
ユーザによっては、表においてデータを有する行が多い場合に、折り畳まずに、それらの行の内容が多少わかる程度に高さを小さく変更しておくことがある。しかしながら、上記技術によると、高さがゼロである行の高さは変更可能であるが、高さをゼロではなく例えば２、３ポイントと小さくしている場合には、上記技術ではそのような行の高さを簡便に変更することは困難である。また、高さがゼロであるすべての行番号を含むリストが表示されるため、リストに含まれる行番号が多くなり、ユーザが高さを変更したい行をそのリストから選択しにくいという問題がある。
【０００６】
本発明は、上記の問題に鑑みてなされたものであり、指定された高さの範囲または列の範囲に属する行または列から所望の行または列の高さを簡便に変更することができる電子機器および表表示プログラムを得ることを目的とする。
【課題を解決するための手段】
【０００７】
上記の課題を解決するために、本発明では以下のようにした。
【０００８】
本発明に係る電子機器は、表示装置と、行の高さまたは列の幅を変更可能にして表を表示装置に表示させる表示制御部とを備える。表示制御部は、（ａ）高さ変更の行候補となる行の高さの範囲、または幅変更の列候補となる列の幅の範囲を指定するための第１操作部を表示装置に表示させ、（ｂ）第１操作部により範囲が指定されると、起点の行から連続しかつその範囲に属する高さを有する行を行候補として、または起点の列から連続しかつその範囲に属する幅を有する列を列候補として特定し、（ｃ）特定された行候補または列候補のみから、高さを変更する行または幅を変更する列を指定するための第２操作部を表示装置に表示させ、（ｄ）第２操作部で指定された行または列の、変更後の高さまたは幅を指定するための第３操作部を表示装置に表示させ、（ｅ）第３操作部で指定された高さまたは幅で、第２操作部で指定された行の高さまた列の幅を変更して表を表示させる。
【０００９】
これにより、指定された高さの範囲または列の範囲に属する行または列から所望の行または列の高さを簡便に変更することができる。
【００１０】
また、本発明に係る電子機器は、上記の電子機器に加え、次のようにしてもよい。この場合、第２操作部は、行候補の行番号リストまたは列候補の列番号リストを有するプルダウンメニューである。
【００１１】
また、本発明に係る電子機器は、上記の電子機器に加え、次のようにしてもよい。この場合、第２操作部は、行候補の行番号のチェックボックスのリストまたは列候補の列番号のチェックボックスのリストである。
【００１２】
また、本発明に係る電子機器は、上記の電子機器に加え、次のようにしてもよい。この場合、表示制御部は、行番号とともにその行番号の示す行の内容を、または列番号とともにその列番号の示す列の内容を表示装置に表示させる。
【００１３】
これにより、ユーザは、高さまたは幅を変更する行または列を、その内容を見た上で選択することができる。このため、高さまたは幅を変更する行または列を誤って選択することが減り、高さまたは幅を変更する行または列をユーザにとって選択しやすくすることができる。
【００１４】
また、本発明に係る電子機器は、上記の電子機器に加え、次のようにしてもよい。この場合、表示制御部は、行番号表示セルが操作されると、その行番号表示セルの行を起点とし、その起点から上および下のいずれか一方へ向かって連続する行を行候補とする。
【００１５】
また、本発明に係る電子機器は、上記の電子機器に加え、次のようにしてもよい。この場合、表示制御部は、列番号表示セルが操作されると、その列番号表示セルの列を起点とし、その起点から右および左のいずれか一方へ向かって連続する列を列候補とする。
【００１６】
また、本発明に係る電子機器は、上記の電子機器に加え、次のようにしてもよい。この場合、表示制御部は、２つの行番号表示セルが操作されると、その２つの行番号表示セルのうちの一方の行番号表示セルの行を起点とし、一方の行番号表示セルから他方の行番号表示セルまでの行範囲内のみで行候補を特定する。
【００１７】
また、本発明に係る電子機器は、上記の電子機器に加え、次のようにしてもよい。この場合、表示制御部は、２つの列番号表示セルが操作されると、その２つの列番号表示セルのうちの一方の列番号表示セルの行を起点とし、一方の列番号表示セルから他方の列番号表示セルまでの列範囲内のみで列候補を特定する。
【００１８】
本発明に係る表表示プログラムは、コンピュータに、（ａ）行の高さまたは列の幅を変更可能にして表を表示装置に表示させるステップと、（ｂ）高さ変更の行候補となる行の高さの範囲、または幅変更の列候補となる列の幅の範囲を指定するための第１操作部を表示装置に表示させるステップと、（ｃ）第１操作部により範囲が指定されると、起点の行から連続しかつその範囲に属する高さを有する行を行候補として、または起点の列から連続しかつその範囲に属する幅を有する列を列候補として特定するステップと、（ｄ）特定された行候補または列候補のみから、高さを変更する行または幅を変更する列を指定するための第２操作部を表示装置に表示させるステップと、（ｅ）第２操作部で指定された行または列の、変更後の高さまたは幅を指定するための第３操作部を前記表示装置に表示させるステップと、（ｆ）第３操作部で指定された高さまたは幅で、第２操作部で指定された行の高さまた列の幅を変更して表を表示させるステップとを実行させる。
【００１９】
これにより、指定された高さの範囲または列の範囲に属する行または列から所望の行または列の高さを簡便に変更することができる。
【発明の効果】
【００２０】
本発明によれば、指定された高さの範囲または列の範囲に属する行または列から所望の行または列の高さを簡便に変更することができる。
【図面の簡単な説明】
【００２１】
【図１】図１は、本発明の実施の形態１に係る電子機器の構成を示すブロック図である。
【図２】図２は、実施の形態１における範囲入力ウィンドウおよび行選択ウィンドウの一例を示す図である。
【図３】図３は、図２（Ｂ）におけるプルダウンメニューの一例を示す図である。
【図４】図４は、図２（Ｂ）に示す行選択ウィンドウによる行および高さの選択の一例およびその選択に対応する表の表示の変化を示す図である。
【図５】図５は、実施の形態２における行選択ウィンドウの一例を示す図である。
【図６】図６は、実施の形態２における行選択ウィンドウの別の例を示す図である。
【図７】図７は、表における一部の行の折り畳みについての一例を示す図である。
【発明を実施するための形態】
【００２２】
以下、図に基づいて本発明の実施の形態を説明する。
【００２３】
実施の形態１．
【００２４】
図１は、本発明の実施の形態１に係る電子機器の構成を示すブロック図である。この電子機器は、図１に示すようにコンピュータを内蔵しており、ＣＰＵ（Central Processing Unit）１、ＲＯＭ（Read Only Memory）２、ＲＡＭ（Random Access Memory）３、データ格納装置４、表示装置５、および入力装置６を有する。
【００２５】
ＣＰＵ１は、プログラムを実行し、プログラムに記述された処理を実行する演算処理装置である。また、ＲＯＭ２は、プログラムおよびデータを予め記憶した不揮発性のメモリである。また、ＲＡＭ３は、プログラムを実行する際にそのプログラムおよびデータを一時的に記憶するメモリである。
【００２６】
また、データ格納装置４は、図示せぬオペレーティングシステムや、表表示プログラム、表形式で表示させるデータを含むユーザファイル２２などを格納する装置である。データ格納装置４としては、例えば、ハードディスク駆動装置や不揮発性メモリが使用される。
【００２７】
表表示プログラム２１は、コンピュータにおけるＲＡＭ３にロードされ、ＣＰＵ１により実行される。ＣＰＵ１が表表示プログラム２１を実行することにより、以下のように表の表示を制御する表示制御部３１が実現される。表表示プログラム２１は、そのコンピュータに、（ａ）行の高さまたは列の幅を変更可能にして表を表示装置５に表示させるステップと、（ｂ）高さ変更の行候補となる行の高さの範囲、または幅変更の列候補となる列の幅の範囲を指定するための第１操作部を表示装置５に表示させるステップと、（ｃ）第１操作部により範囲が指定されると、起点の行から連続しかつその範囲に属する高さを有する行を行候補として、または起点の列から連続しかつその範囲に属する幅を有する列を列候補として特定するステップと、（ｄ）特定された行候補または列候補のみから、高さを変更する行または幅を変更する列を指定するための第２操作部を表示装置５に表示させるステップと、（ｅ）第２操作部で指定された行または列の、変更後の高さまたは幅を指定するための第３操作部を表示装置５に表示させるステップと、（ｆ）第３操作部で指定された高さまたは幅で、第２操作部で指定された行の高さまた列の幅を変更して表を表示させるステップとを実行させる。
【００２８】
また、表示装置５は、データを表形式で表示可能な装置である。表示装置５としては、例えば液晶ディスプレイが使用される。入力装置６は、ユーザ操作を検出し、そのユーザ操作に従った電気信号を出力する装置である。入力装置６としては、マウス、キーボード、タッチパネルなどが使用される。例えば、表示装置５および入力装置６を操作パネルとして一体的にこの電子機器の筐体表面に設置してもよい。
【００２９】
次に、上記電子機器の動作について説明する。
【００３０】
まず、表表示プログラム２１がＣＰＵ１により実行され、表示制御部３１が実現される。
【００３１】
表示制御部３１は、まず、例えば図７（Ａ）に示すように、表形式でデータを表示する。入力装置６に対するユーザの操作に応じて行の高さまたは列の幅が変更され、表示制御部３１は、操作があった行または列を、高さまたは幅を変更して表示装置５に表示させる。
【００３２】
その後、入力装置６に対するユーザ操作によりある行または列が選択され所定のユーザ操作があると、表示制御部３１は、範囲入力ウィンドウを表に重畳させて表示させ、その範囲入力ウィンドウにおいて、入力装置６に対するユーザ操作により高さ範囲または幅範囲が入力されると、範囲入力ウィンドウを閉じ、次に、行選択ウィンドウを、表に重畳させて表示させる。
【００３３】
図２は、実施の形態１における範囲入力ウィンドウ１０６および行選択ウィンドウ１１１の一例を示す図である。図２（Ａ）は、範囲入力ウィンドウ１０６を示し、図２（Ｂ）は、行選択ウィンドウ１１１を示す。図２（Ａ）において、行番号セル１０１をマウスカーソル１０２で指示してクリックして起点となる行を指定した後に所定の操作（行の高さ変更の要求をする操作）をすると、表示制御部３１は、その操作を検知して、まず、範囲入力ウィンドウ１０６を表示装置５に表示させる。
【００３４】
範囲入力ウィンドウ１０６は、高さ変更の行候補となる行の高さの範囲、または幅変更の列候補となる列の幅の範囲を指定するための第１操作部を有する。図２（Ａ）に示す範囲入力ウィンドウ１０６は、第１操作部として入力フィールド１０７ａ，１０７ｂを有する。入力フィールド１０７ａは、高さ範囲の下限値を入力するためのフィールドであり、入力フィールド１０７ｂは、高さ範囲の上限値を入力するためのフィールドである。また、図２（Ａ）に示す範囲入力ウィンドウ１０６は、範囲入力を確定させ、行選択ウィンドウ１１１を表示させるための「次へ」ボタン１０８と、高さ変更の操作を中止するためのキャンセルボタン１０９とを有する。
【００３５】
したがって、入力フィールド１０１ａ，１０７ｂへ範囲が入力され、「次へ」ボタンがクリックされると、表示制御部３１は、その入力された範囲のデータをＲＡＭ３において保持し、指定された起点の行から連続しかつその範囲に属する高さを有する行を行候補として特定する。例えば、行番号３から８の行の高さが３ポイントであり、行番号２，９の行の高さが１０ポイントであり起点の行として第９行が選択された場合に、高さ範囲として、２（入力フィールド１０７ａへの入力値）から４（入力フィールド１０７ｂへの入力値）が指定されると、行候補として、第３行から第８行が選択される。そして、表示制御部３１は、範囲入力ウィンドウ１０６を行選択ウィンドウ１１１へ切り替える。
【００３６】
行選択ウィンドウ１１１は、特定された行候補または列候補のみから、高さを変更する行または幅を変更する列を指定するための第２操作部、およびその第２操作部で指定された行または列の、変更後の高さまたは幅を指定するための第３操作部を有する。図２（Ｂ）に示す行選択ウィンドウ１１１は、第２操作部としてプルダウンメニュー１２１を有し、第３操作部として入力フィールド１２２を有する。また、図２（Ｂ）に示す行選択ウィンドウ１１１は、さらに、入力された行番号および高さを確定させるためのＯＫボタン１２３と、高さ変更の操作を中止するためのキャンセルボタン１２４とを有する。
【００３７】
図３は、図２（Ｂ）におけるプルダウンメニュー１２１の一例を示す図である。上述の例では、行候補の行番号は、３、４、５、６、７および８であるので、図３に示すように、プルダウンメニュー１２１が開かれると、プルダウンメニュー１２１において、それらの行番号のリストが表示される。このとき、ユーザにより指定された高さ範囲に属する高さを有する行の行番号のみが、プルダウンメニュー１２１に含まれる。また、行番号３〜８には連続しない別の行がこの高さ範囲内の高さを有していても、その行の行番号は、このプルダウンメニュー１２１のリストには含まれない。
【００３８】
図４は、図２（Ｂ）に示す行選択ウィンドウ１１１による行および高さの選択の一例およびその選択に対応する表の表示の変化を示す図である。図４（Ａ）に示すように、例えば、プルダウンメニュー１２１から行番号５が選択され、入力フィールド１２２に、行番号５の行の高さとして１０（１０ポイント）が入力され、ＯＫボタン１２３が押下されると、表示制御部３１は、図４（Ｂ）に示すように、行番号５の行を高さ１０へ変更して表示させる。このとき、行番号３，４の行、および行番号６〜８の行の高さは変更されずそのままの状態とされる。
【００３９】
以上のように、上記実施の形態１によれば、表示制御部３１は、（ａ）高さ変更の行候補となる行の高さの範囲、または幅変更の列候補となる列の幅の範囲を指定するための第１操作部（上記例では、入力フィールド１０７ａ，１０７ｂ）を表示装置５に表示させ、（ｂ）第１操作部により範囲が指定されると、起点の行から連続しかつその範囲に属する高さを有する行を行候補として、または起点の列から連続しかつその範囲に属する幅を有する列を列候補として特定し、（ｃ）特定された行候補または列候補のみから、高さを変更する行または幅を変更する列を指定するための第２操作部（上記例では、プルダウンメニュー１２１）を表示装置５に表示させ、（ｄ）第２操作部で指定された行または列の、変更後の高さまたは幅を指定するための第３操作部（上記例では、入力フィールド１２２）を表示装置５に表示させ、（ｅ）第３操作部で指定された高さまたは幅で、第２操作部で指定された行の高さまた列の幅を変更して表を表示させる。
【００４０】
これにより、指定された高さの範囲または列の範囲に属する行または列から所望の行または列の高さを簡便に変更することができる。
【００４１】
実施の形態２．
【００４２】
実施の形態２では、行選択ウィンドウ１１１において、プルダウンメニュー１２１の代わりに、行候補の行番号または列候補の列番号に対応するチェックボックスのリストが表示される。なお、実施の形態２に係る電子機器のハードウェア構成は、実施の形態１のものと同様である。ただし、実施の形態２に係る電子機器は、表表示プログラム２１に基づき、以下のような処理を行う。
【００４３】
図５は、実施の形態２における行選択ウィンドウ１１１の一例を示す図である。例えば図５に示すように、実施の形態２では、表示制御部３１は、行選択ウィンドウ１１１において、高さ変更の行候補の行番号または幅変更の列候補の列番号に対応するチェックボックスのリスト１５１を表示させる。
【００４４】
図５に示す場合では、行番号３〜８の行が候補となっているため、行番号３〜８に対応する６つのチェックボックスが表示される。リスト１５１における１または複数のチェックボックスがチェックされることにより、高さを変更する行が選択される。
【００４５】
なお、このようなチェックボックスのリスト１５１とともに、折り畳まれている行または列の内容１５２（つまり表内では表示されていないか部分的に表示されているデータ）を行選択ウィンドウ１１１において表示させるようにしてもよい。図６は、実施の形態２における行選択ウィンドウ１１１の別の例を示す図である。図６に示すように、行候補のそれぞれについて、チェックボックス、行番号、およびその行に属するセルが表示される。また、実施の形態１におけるプルダウンメニュー１２１においても、同様の各行の内容１５２を表示させることができる。
【００４６】
以上のように、上記実施の形態２によれば、実施の形態１と同様に、指定された高さの範囲または列の範囲に属する行または列から所望の行または列の高さを簡便に変更することができる。
【００４７】
なお、上述の各実施の形態は、本発明の好適な例であるが、本発明は、これらに限定されるものではなく、本発明の要旨を逸脱しない範囲において、種々の変形、変更が可能である。
【００４８】
例えば、上記実施の形態１，２においては、例として、行の高さを変更する場合について説明しているが、同様に、列の幅を変更することができる。なお、その場合、行番号１，２，３，・・・を、列番号Ａ，Ｂ，Ｃ，・・・とし、行の高さを列の幅として、同様に処理をすればよい。
【００４９】
また、上記実施の形態１，２においては、行番号表示セルがクリック操作されると、その行番号表示セルの示す行が起点となり、その行から上へ連続する１または複数の行が行候補（変更すべき行の候補）とされるが、その代わりに、起点の行から下へ連続する１または複数の行が行候補とされるようにしてもよい。同様に、列番号表示セルがクリック操作されると、その列番号表示セルの示す列が起点となり、その列から右へ連続する１または複数の列が列候補とされるようにしてもよいし、起点の列から左へ連続する１または複数の列が列候補とされるようにしてもよい。また、２つの行番号表示セル（例えば、図２における行番号２と行番号９の行番号表示セル）または２つの列番号表示セルが操作されると（例えばドラッグ操作で）、表示制御部３１が、その２つの行番号表示セルの示す２つの行の間において指定された高さ範囲に属する高さを有する行を行候補として、またはその２つの列番号表示セルの示す２つの列の間において指定された幅範囲に属する幅を有する列を列候補として選択するようにしてもよい。
【００５０】
また、上記実施の形態１，２においては、表表示プログラム２１は電子機器内のデータ格納装置４に格納されているが、その代わりに、可搬性のある記録媒体に格納されていてもよいし、コンピュータネットワークを介して電子機器に供給されるようにしてもよい。
【００５１】
また、上記実施の形態１，２において、第３操作部としての高さまたは幅の入力フィールドにデフォルト値を初期値として予め表示させるようにしてもよい。例えば、そのデフォルト値は、起点の行または列の高さまたは幅と同一の値とすればよい。同様に、第１操作としての範囲入力のフィールドにデフォルト値を初期値として予め表示させるようにしてもよい。その場合、起点の行の高さまたは起点の列の幅より小さい上限値および下限値を初期値としてもよい（例えば、起点の行の高さが１０ポイントである場合、半分以下の１ポイントから５ポイントまでの範囲が初期値とされる）。
【産業上の利用可能性】
【００５２】
本発明は、例えば、操作パネルを有する複写機、プリンタ、ファクシミリ装置、スキャナ、複合機などといった画像形成装置、表計算プログラムなどに適用可能である。
【符号の説明】
【００５３】
５  表示装置
２１  表表示プログラム
３１  表示制御部
１０７ａ，１０７ｂ  入力フィールド（第１操作部の一例）
１２１  プルダウンメニュー（第２操作部の一例）
１２２  入力フィールド（第３操作部の一例）
１５１  チェックボックスのリスト（第２操作部の一例）
【図１】
2011128666.tif 000003
【図２】
2011128666.tif 000004
【図３】
2011128666.tif 000005
【図４】
2011128666.tif 000006
【図５】
2011128666.tif 000007
【図６】
2011128666.tif 000008
【図７】
2011128666.tif 000009